(57)【要約】【課題】旧制御基板と新制御基板とを相互通信可能に接続することなく、旧制御基板の記憶部に記憶されたデータを新制御基板の記憶部へ移動できる給湯装置を提供する。【解決手段】記憶部９４１に記憶されている設定コードは、予め定められた設定コード表示操作が台所リモコン９０の操作部９０２に対して為された場合に、表示パネル９０１に表示される。また、設定コードが操作部９０２の操作によって入力されると、その入力された設定コードが記憶部９４１に記憶される。従って、記憶部９４１を含む制御基板９４の基板交換をする作業者は、取り外す旧制御基板９４ａの記憶部９４１に記憶されている設定コードを表示パネル９０１に表示させ、その設定コードを基板交換後に入力することで、新旧制御基板同士を相互に通信可能に接続することなく、旧制御基板９４ａの記憶部９４１に記憶された設定コードを新制御基板９４ｂの記憶部９４１へ移動できる。【選択図】図３
2015094557.tif 000002
【特許請求の範囲】
【請求項１】
湯を供給する給湯ユニット（２０）と、
操作者に操作される操作部（９０２）と、
画像を表示する表示部（９０１）と、
前記給湯ユニットの運転に関わる情報を含む記号列を示すように構成された設定コード（ＣＤｍ）を記憶するための記憶部（９４１）と、
予め定められた入力開始条件が成立した場合に前記操作部の操作によって入力される前記設定コードを受け付ける入力受付手段（Ｓ４０２、Ｓ４０３）と、
前記入力受付手段が受け付けた前記設定コードを前記記憶部に記憶させる記憶制御手段（Ｓ３１４）と、
予め定められた表示操作が前記操作部に対して為された場合に、前記記憶部に記憶されている前記設定コードを前記表示部に表示させる表示制御手段（Ｓ２０４）とを備えていることを特徴とする給湯装置。
【請求項２】
前記記憶部と前記記憶制御手段とを有し、前記給湯ユニットを制御する給湯制御部（３８）と、
その給湯制御部と通信可能に接続され、前記操作部と前記表示部とを含むリモコン装置（９０）とを備えていることを特徴とする請求項１に記載の給湯装置。
【請求項３】
前記記号列は、前記給湯ユニットの仕様を特定する機種情報を示す記号を含んでいることを特徴とする請求項２に記載の給湯装置。
【請求項４】
前記給湯ユニットが供給する湯を沸かすための熱源として機能する熱源ユニット（１３）を備え、
前記給湯制御部は、前記機種情報で特定される前記給湯ユニットの仕様と前記熱源ユニットの仕様との組合せが、それらの仕様の組合せを予め定めた仕様組合せ関係に従っているか否かを判定する仕様判定手段（Ｓ３０９）を有し、
前記記憶制御手段は、前記仕様の組合せが前記仕様組合せ関係に従っていると前記仕様判定手段によって判定された場合に、前記設定コードを前記記憶部に記憶させることを特徴とする請求項３に記載の給湯装置。
【請求項５】
前記記号列の各記号は数値に一対一で対応し、
前記記号列は、その記号列の一部である第１範囲の各記号に対応した数値に基づき予め定められた第１計算式から生成された第１チェックサムを示す記号と、前記記号列のうちの前記第１範囲とは異なる第２範囲の各記号に対応した数値に基づき予め定められた第２計算式から生成された第２チェックサムを示す記号とを含み、
前記機種情報を示す記号は、前記第１範囲と前記第２範囲との両方に入っていることを特徴とする請求項３または４に記載の給湯装置。
【請求項６】
前記記憶部に記憶された前記設定コードの中に示されている前記機種情報を初期化するための初期化スイッチ（９４２）を備え、
前記給湯制御部は、前記初期化スイッチが操作された場合にのみ前記機種情報を初期化する初期化手段（３８４）を有していることを特徴とする請求項３ないし５のいずれか１つに記載の給湯装置。
【請求項７】
前記給湯制御部は、前記給湯ユニットから前記浴槽へ供給される浴槽供給湯量（Ｍｂｔｈ）を検出する湯量検出手段（３８１）と、その湯量検出手段により検出された前記浴槽供給湯量から、前記浴槽に応じて定められている定数（Ａｂｔｈ）を用いて、前記浴槽供給湯量の給湯によって増加した前記浴槽内での湯の増加水位である浴槽増加水位（ＬＶｂｔｈ）を推定する増加水位推定手段（３８２）とを有し、
前記記号列は、前記浴槽に応じて定められている定数を示す記号を含んでいることを特徴とする請求項２ないし６のいずれか１つに記載の給湯装置。
【請求項８】
前記記憶部は不揮発性の記憶装置で構成されていることを特徴とする請求項１ないし７のいずれか１つに記載の給湯装置。
【請求項９】
前記記憶部は着脱可能に構成されていることを特徴とする請求項１ないし８のいずれか１つに記載の給湯装置。
【請求項１０】
給湯ユニット（２０）の運転に関わる情報を含む記号列を示すように構成された設定コード（ＣＤｍ）を記憶している記憶部（９４１）を含む制御基板（９４）から構成された給湯制御部（３８）と通信可能に接続されたリモコン装置（９０）の表示部（９０１）に前記設定コードを表示させる設定コード表示工程（Ｐ００１）と、
その設定コード表示工程で表示させた前記設定コードを記録する設定コード記録工程（Ｐ００２）と、
前記制御基板を新たな制御基板に交換する基板交換工程（Ｐ００４）と、
その基板交換工程で交換された前記新たな制御基板が有する前記記憶部へ、前記設定コード記録工程で記録した前記設定コードを記憶させるために、その設定コードを前記リモコン装置の操作部（９０２）に対して入力する入力工程（Ｐ００６）とを備えていることを特徴とする給湯装置の基板交換方法。
【発明の詳細な説明】
【技術分野】
【０００１】
本発明は、湯を供給する給湯装置、および、その給湯装置を制御するための制御基板の交換方法に関するものである。
【背景技術】
【０００２】
給湯装置の制御ユニットは、例えば故障などを理由に新たなものに交換されることがある。例えば、その際の制御ユニットの交換方法が特許文献１に開示されている。その特許文献１の制御ユニット交換方法では、制御ユニットを交換する際に、旧制御ユニットに記憶されているデータを新制御ユニットへ引き継がせるため、先ず、取り外した旧制御ユニットの通信ポートと、取り付けた新制御ユニットの通信ポートとを通信ケーブルで接続する。そして、旧制御ユニットの不揮発性メモリに保存されたデータを、通信ケーブルを介して新制御ユニットの不揮発性メモリに移動させる。
【先行技術文献】
【特許文献】
【０００３】
【特許文献１】特開平１０−１３３９５７号公報
【発明の概要】
【発明が解決しようとする課題】
【０００４】
特許文献１の制御ユニットの交換方法が採用される給湯装置では、制御ユニット交換の際、具体的にはその制御ユニットを構成する制御基板を交換する際に、旧制御基板と新制御基板とを通信ケーブルで接続する必要がある。このような通信ケーブルの接続作業を作業者に行わせることは、作業者の負担を増し、延いては制御基板を交換する作業時間を長引かせることにつながる。また、作業者に上記通信ケーブルを携行させる必要が生じる。
【０００５】
本発明は上記点に鑑みて、旧制御基板と新制御基板とを相互通信可能に接続することなく、旧制御基板の記憶部に記憶されたデータを新制御基板の記憶部へ移動できる給湯装置およびその給湯装置の基板交換方法を提供することを目的とする。
【課題を解決するための手段】
【０００６】
上記目的を達成するため、請求項１に記載された給湯装置の発明では、湯を供給する給湯ユニット（２０）と、
操作者に操作される操作部（９０２）と、
画像を表示する表示部（９０１）と、
給湯ユニットの運転に関わる情報を含む記号列を示すように構成された設定コード（ＣＤｍ）を記憶するための記憶部（９４１）と、
予め定められた入力開始条件が成立した場合に操作部の操作によって入力される設定コードを受け付ける入力受付手段（Ｓ４０２、Ｓ４０３）と、
入力受付手段が受け付けた設定コードを記憶部に記憶させる記憶制御手段（Ｓ３１４）と、
予め定められた表示操作が操作部に対して為された場合に、記憶部に記憶されている設定コードを表示部に表示させる表示制御手段（Ｓ２０４）とを備えていることを特徴とする。
【０００７】
上述の発明によれば、記憶部に記憶されている設定コードは、予め定められた表示操作が操作部に対して為された場合に表示部に表示され、その一方で、設定コードが操作部の操作によって入力されると、その入力された設定コードが記憶部に記憶されるので、記憶部を含む制御基板等の部品を交換する作業者は、取り外す旧部品の記憶部に記憶されている設定コードを表示部に表示させ、その設定コードを、部品交換をした後に入力することで、新旧の部品同士を相互に通信可能に接続することなく、旧部品の記憶部に記憶されたデータである設定コードを新部品の記憶部へ移動することが可能である。
【０００８】
また、請求項１０に記載された給湯装置の基板交換方法の発明では、給湯ユニット（２０）の運転に関わる情報を含む記号列を示すように構成された設定コード（ＣＤｍ）を記憶している記憶部（９４１）を含む制御基板（９４）から構成された給湯制御部（３８）と通信可能に接続されたリモコン装置（９０）の表示部（９０１）に設定コードを表示させる設定コード表示工程（Ｐ００１）と、
その設定コード表示工程で表示させた設定コードを記録する設定コード記録工程（Ｐ００２）と、
制御基板を新たな制御基板に交換する基板交換工程（Ｐ００４）と、
その基板交換工程で交換された新たな制御基板が有する記憶部へ、設定コード記録工程で記録した設定コードを記憶させるために、その設定コードをリモコン装置の操作部（９０２）に対して入力する入力工程（Ｐ００６）とを備えていることを特徴とする。
【０００９】
上述の発明によれば、制御基板の記憶部に記憶されている設定コードをリモコン装置の表示部に表示させ、その表示させた設定コードを記録し、次に、制御基板を新たな制御基板に交換し、その交換した新たな制御基板の記憶部へ上記記録した設定コードを記憶させるために、その設定コードをリモコン装置の操作部に対して入力するので、新旧の制御基板同士を相互に通信可能に接続することなく、旧制御基板の記憶部に記憶されたデータである設定コードを新制御基板の記憶部へ移動することが可能である。
【００１０】
なお、この欄および特許請求の範囲で記載した括弧内の各符号は、後述する実施形態に記載した各符号に対応したものである。
【図面の簡単な説明】
【００１１】
【図１】本発明の実施形態に係る給湯装置１０の全体構成を示す図である。
【図２】図１の給湯装置１０が有する台所リモコン９０の外観図である。
【図３】図２の台所リモコン９０等のブロック図である。
【図４】図１の給湯装置１０において、給湯制御部３８の主要部分を成す制御基板９４を交換すると共に、貯湯タンクユニット２０の運転に関わる情報を含む記号列を示すように構成された設定コードＣＤｍを制御基板９４の交換前から交換後に引き継ぐ基板交換方法を説明するためのフローチャートである。
【図５】図４のステップＰ００１で為される設定コード表示操作によって表示パネル９０１に表示される第1の表示画面を表した図である。
【図６】図５の第1の表示画面が表示された後の作業者の操作によって表示パネル９０１に表示される第２の表示画面を表した図である。
【図７】図４のステップＰ００５の電源ブレーカ操作によって表示パネル９０１に表示される設定コード入力画面であって、設定コードＣＤｍ入力前の画面を表した図である。
【図８】図４のステップＰ００５の電源ブレーカ操作によって表示パネル９０１に表示される設定コード入力画面であって、設定コードＣＤｍを入力した後の画面を表した図である。
【図９】設定コードＣＤｍが示す記号列の各記号と５ｂｉｔデータである数値との対応関係を示した対応表である。
【図１０】設定コードＣＤｍを構成するコードＮｏ．１〜２６のそれぞれの５ｂｉｔデータが示す内容を示した図である。
【図１１】給湯制御部３８および台所リモコン９０のリモコン制御部９０３が実行する制御処理であって、図４のステップＰ００１で設定コード表示操作が為されたことにより設定コードＣＤｍを表示する制御処理を説明するためのフローチャートである。
【図１２】給湯制御部３８および台所リモコン９０のリモコン制御部９０３が実行する制御処理であって、図４のステップＰ００６で設定コード入力操作が行われる際に実行される制御処理を説明するための第１のフローチャートである。
【図１３】図１２の第１のフローチャートに続く第２のフローチャートである。
【図１４】図１のヒートポンプユニット１３の仕様と貯湯タンクユニット２０の仕様とを給湯装置１０の機種毎に例示した仕様対応表である。
【発明を実施するための形態】
【００１２】
以下、本発明の実施形態について図に基づいて説明する。
【００１３】
図１に、本発明の実施形態に係る給湯装置１０の全体構成を示す。図１に示す給湯装置１０は、一般家庭用として使用される貯湯式給湯装置である。給湯装置１０は、貯湯タンク１１内に貯えられた蓄熱用流体を熱源として、台所・洗面所・浴室などへの給湯機能の他に、浴槽５１への湯張りおよび湯張りされた浴水を追い焚きする機能を有するものである。本実施形態では、蓄熱用流体として給湯側と同じ給湯用水を用いている。
【００１４】
給湯装置１０は、貯湯タンクユニット２０と、その貯湯タンクユニット２０の作動を制御する給湯制御部３８と、貯湯タンクユニット２０の熱源として機能するヒートポンプユニット１３と、そのヒートポンプユニット１３の作動を制御する熱源制御部４０と、台所に設置されるメインリモコンとしての台所リモコン９０と、浴室に設置される風呂リモコン９２とを含んで構成されている。
【００１５】
貯湯タンクユニット２０は、貯湯タンク１１、沸上回路１２、熱負荷回路１４、給水用配管１５、および給湯配管２７を含んで構成され、貯湯タンク１１内に湯を貯えると共にその湯の供給等を行う給湯ユニットである。貯湯タンク１１は、蓄熱用流体を内部に貯える。貯湯タンク１１は、給湯用の湯を蓄える容器であり、耐食性に優れた金属製、例えば、ステンレス製からなり、その外周部に断熱材が設けられ、給湯用の高温水を長時間に渡って保温することができる。貯湯タンク１１は縦長形状であり、その底面に導入口１１ａが設けられている。
【００１６】
貯湯タンク１１には、貯湯タンク１１内部の貯湯量および貯湯温度を検出するために高さ方向に７個並んだサーミスタからなる水温サーミスタ１１ｂが設けられている。各水位における貯湯タンク１１内に満たされた湯もしくは水の温度情報は、給湯制御部３８へ出力される。したがって、給湯制御部３８は、水温サーミスタ１１ｂからの温度情報に基づいて、貯湯タンク１１内上方の沸き上げられた湯と貯湯タンク１１内下方の沸き上げられる前の水との境界位置を検出できるとともに、これにより貯湯量が検出できるようになっている。
【００１７】
貯湯タンク１１の底面の導入口１１ａには貯湯タンク１１内に市水を供給する市水流入配管２１が接続されている。市水流入配管２１とつながっている市水配管２２には、導入される水道水の水圧が所定圧となるように調節するとともに、断水などにおける湯の逆流を防止する減圧弁２３が設けられている。この市水配管２２は、給水用配管１５を経由して、後述する風呂混合弁２４および給湯混合弁２５につながっている。
【００１８】
ヒートポンプユニット１３は、貯湯タンクユニット２０が供給する湯を沸かすための熱源として機能する熱源ユニットである。すなわち、ヒートポンプユニット１３は、入口配管３６から流れてくる蓄熱用流体を加熱して、出口配管３７に排出する加熱部である。
【００１９】
ヒートポンプユニット１３は、冷媒として臨界温度の低い二酸化炭素を使用するヒートポンプサイクルを有している。したがって、ヒートポンプユニット１３は、図示は省略するが、少なくとも圧縮機、放熱器としての水−冷媒熱交換器、可変式減圧器、蒸発器および気液分離器を有し、それらの機器が閉回路を構成するように接続されている。また、蒸発器の下流側には、蒸発器下流側の温度を検出する蒸発器温度サーミスタが設けられている。熱源制御部４０は、蒸発器温度サーミスタから検出情報を受け取るとともに、可変式減圧器や圧縮機の運転を制御している。
【００２０】
ヒートポンプユニット１３は、水−冷媒熱交換器の冷媒流路を流れる高温高圧の冷媒と、水−冷媒熱交換器の水流路を流れる水との間で熱交換を行うことにより、温水を沸き上げることができる。また、ヒートポンプユニット１３は、電気式エジェクタを用いたエジェクタ式サイクルで構成してもよい。
【００２１】
ヒートポンプユニット１３のヒートポンプサイクルを超臨界ヒートポンプで構成した場合、一般的なヒートポンプサイクルよりも高温、例えば、８５℃〜９０℃程度の湯を貯湯タンク１１内に蓄えることができる。そのヒートポンプサイクルは、主に、貯湯タンク１１内に貯まっている温水が不足しているときや料金設定の安価な深夜時間帯の深夜電力を利用して貯湯タンク１１内の湯を沸き上げる沸上げ給湯運転を行う。
【００２２】
沸上回路１２は、貯湯タンク１１の下部から蓄熱用流体を取出してヒートポンプユニット１３で加熱し、再び蓄熱用流体を貯湯タンク１１の上部に戻すための回路である。沸上回路１２は、貯湯タンク１１の下部とヒートポンプユニット１３の入口配管３６とを接続する沸上用往き配管３１、およびヒートポンプユニット１３の出口配管３７と貯湯タンク１１の上部とを接続する沸上用戻り配管３２を有している。また、ヒートポンプユニット１３は沸上用循環ポンプ３３を有しており、その沸上用循環ポンプ３３は、貯湯タンク１１の下部の蓄熱用流体を沸上用往き配管３１からヒートポンプユニット１３の入口配管３６、出口配管３７および沸上用戻り配管３２を経由して貯湯タンク１１の上部に戻す方向に循環させる。
【００２３】
また沸上用戻り配管３２には、バイパス弁３４が設けられている。バイパス弁３４には、沸上用戻り配管３２と貯湯タンク１１の下部とを接続するバイパス配管３５が設けられている。バイパス弁３４は、沸上用戻り配管３２を通過して貯湯タンク１１の上部に向かう流量と、バイパス配管３５を通過して貯湯タンク１１の下部に流れる流量との流量比を調節する。
【００２４】
熱負荷回路１４は、貯湯タンクユニット２０から湯が供給される風呂の浴槽５１に溜まった湯を追い焚きするため、貯湯タンク１１内の蓄熱用流体と浴槽５１の湯とを熱交換するための回路である。熱負荷回路１４は、取出配管４１、風呂熱交換器４２、取入配管４３、風呂１次ポンプ４４、風呂１次サーミスタ４５および風呂１次逆止弁４６を有している。取出配管４１は、貯湯タンク１１の上部と沸上用戻り配管３２とに接続されている。風呂熱交換器４２は、取出配管４１を通過した蓄熱用流体を風呂側（熱負荷側）と熱交換する。具体的には、風呂熱交換器４２は、貯湯タンク１１内の蓄熱用流体が流通する第１流通部４２ａと浴槽水が流通する第２流通部４２ｂとを備え、その第１流通部４２ａおよび第２流通部４２ｂは互いに隣接するように構成されている。そして、風呂熱交換器４２は、蓄熱用流体と浴槽水とが対向流となるように構成され、両者間で熱交換が行われる。
【００２５】
取入配管４３は、風呂熱交換器４２を通過した蓄熱用流体を貯湯タンク１１に戻す。風呂１次ポンプ４４は、貯湯タンク１１の蓄熱用流体を取出配管４１から風呂熱交換器４２と取入配管４３とを経由して貯湯タンク１１に戻す方向に循環させる熱負荷用循環ポンプである。風呂１次サーミスタ４５は、取出配管４１を通過する蓄熱用流体の温度を検出する温度検出手段である。風呂１次逆止弁４６は、取入配管４３から第１流通部４２ａへの蓄熱流体の流れを阻止するように取入配管４３に設けられ、貯湯タンク１１内の蓄熱流体が風呂熱交換器４２と取入配管４３とを経由して貯湯タンク１１に対流することを防止する為に設けられる。
【００２６】
沸上回路１２と熱負荷回路１４との接続部には、蓄熱切替弁２６が設けられている。蓄熱切替弁２６は、沸上用戻り配管３２を通過して貯湯タンク１１に戻す流量と、沸上用戻り配管３２を通過して取出配管４１に流れる流量との流量比を調節する流量調節手段である。また蓄熱切替弁２６は、貯湯タンク１１から取り出されて取出配管４１に流れる流量と、沸上用戻り配管３２を通過して取出配管４１に流れる流量との流量比を調節する。
【００２７】
貯湯タンク１１の上部には、貯湯タンク１１内の高温水部の温水が流出して給湯使用側端末まで流れる給湯配管２７が設けられている。給湯配管２７は、シャワー５４、カラン、手洗い栓などに連通しており、途中で分岐する配管は風呂用配管２８であり、風呂の浴槽５１内に連通する配管である。
【００２８】
またこの給湯配管２７の配管途中には、逃がし弁５２が配設された排出配管５３が接続され、貯湯タンク１１内の圧力が所定圧以上に上昇した場合には、貯湯タンク１１内の温水を外部に排出して、貯湯タンク１１等に損害を与えないように構成されている。
【００２９】
貯湯タンク１１の下部には、水道水などの市水を取り入れる市水配管２２から分岐した市水流入配管２１が接続されている。給湯配管２７には、市水配管２２と連通する給水用配管１５が接続されている。
【００３０】
貯湯タンク１１内のほぼ中間部である中温水部は、貯湯タンク１１内に蓄えられた給湯用の温水のうち、中温水を導出するための中温水配管２９と連絡されている。給湯配管２７と中温水配管２９の合流部には、中温水混合弁３０が設けられている。中温水混合弁３０は、給湯用水の湯温を調節する温度調節弁であり、それぞれの開口面積比を調節することで、給湯配管２７から取り出した高温水と中温水配管２９から取り出した中温水との混合比を調節することができる。また中温水配管２９には、中温水逆止弁１７が設けられている。中温水逆止弁１７は、貯湯タンク１１の上部にある高温水が中温水混合弁３０を経由して貯湯タンク１１の中温水部へ逆流しないように設けられている。
【００３１】
中温水混合弁３０よりも下流部位には、給湯配管２７と分岐した風呂用配管２８とが接続されている。そして中温水混合弁３０の下流側の給湯配管２７には、給湯混合弁２５が設けられ、風呂用配管２８には風呂混合弁２４が設けられている。給湯混合弁２５は、給湯配管２７と給水用配管１５との合流部に設けられている。風呂混合弁２４は、風呂用配管２８と給水用配管１５との合流部に設けられている。給湯混合弁２５および風呂混合弁２４はそれぞれ、給湯配管２７、風呂用配管２８の末端で出湯する給湯用水の湯温を調節する温度調節弁である。これらは、それぞれの開口面積比、つまり、中温水混合弁３０で温度調節された給湯用水側の開度と市水配管２２に連通する水側の開度との比率を調節することによって、出湯する湯温を設定温度に調節する。
【００３２】
給湯混合弁２５の下流側の給湯配管２７には、給湯サーミスタ６１、給湯用流量カウンタ６２および給湯用逆止弁６３が設けられている。給湯サーミスタ６１は、給湯配管２７に流れる温水の温度を検出する。給湯用流量カウンタ６２は、給湯配管２７に流れる温水の流量を検出する。給湯用逆止弁６３は、給湯配管２７の末端のシャワー５４から給湯混合弁２５に逆流させないために設けられる。
【００３３】
風呂混合弁２４の下流側の風呂用配管２８には、風呂に注湯するための風呂注湯ユニット７０が設けられている。風呂注湯ユニット７０は、風呂用電磁弁７１、逆流防止弁７２、風呂サーミスタ７３、風呂用流量カウンタ７４、および２つの風呂用逆止弁７５を有している。風呂サーミスタ７３は、風呂用配管２８に流れる温水の温度を検出する。風呂用流量カウンタ７４は、風呂用配管２８に流れる温水の流量を検出する。２つの風呂用逆止弁７５は、浴水循環回路８０内の浴水を風呂混合弁２４へ逆流させないために設けられている。
【００３４】
２つの風呂用逆止弁７５間には、排出経路上流端を接続するとともに風呂混合弁２４下流側に導圧管を接続した逆流防止弁７２が設けられている。逆流防止弁７２は、給湯配管２７側に浸入しようとする浴水がある場合には、両接続点の圧力差に応じて逆流防止弁７２を作動させて風呂注湯ユニット７０の外部に排出できるようになっている。
【００３５】
風呂用電磁弁７１は、浴槽５１に湯張り・差し湯・足し湯をするときに開弁される。風呂用電磁弁７１は、風呂用流量カウンタ７４により検出された流量情報に基づいて所定の流量の混合湯が出湯されるように制御される。
【００３６】
詳細には、自動的に湯張りまたは足し湯をするときの混合湯の浴槽５１への出湯量を制御するために、給湯制御部３８は、貯湯タンクユニット２０から浴槽５１へ供給される浴槽供給湯量Ｍｂｔｈを検出する湯量検出手段３８１と、浴槽供給湯量Ｍｂｔｈの給湯によって増加した浴槽５１内での湯の増加水位ＬＶｂｔｈである浴槽増加水位ＬＶｂｔｈを推定する増加水位推定手段３８２と、風呂用電磁弁７１を開閉させる弁開閉手段３８３とを機能的に備えている。
【００３７】
そして、湯量検出手段３８１は、自動的に湯張り等をするときに弁開閉手段３８３によって風呂用電磁弁７１が開弁され出湯されると、浴槽供給湯量Ｍｂｔｈを逐次検出する。具体的には、風呂用流量カウンタ７４により検出される流量を時間で積分して浴槽供給湯量Ｍｂｔｈを逐次算出する。
【００３８】
また、増加水位推定手段３８２は、予め設定されている平均浴槽断面積Ａｂｔｈで浴槽供給湯量Ｍｂｔｈを除することにより浴槽増加水位ＬＶｂｔｈを算出し逐次推定する。その増加水位推定手段３８２によって推定された浴槽増加水位ＬＶｂｔｈが予め定められた目標値に到達すると、弁開閉手段３８３は、風呂用電磁弁７１を閉弁する。
【００３９】
なお、上記平均浴槽断面積Ａｂｔｈは、浴槽５１内の湯を水平面で切った断面の断面積を平均した平均値であり、浴槽５１に応じて定められている定数である。例えば給湯装置１０を施工した後に実施する試運転または最初の数回の湯張り運転にて、浴槽５１への給湯が、後述の風呂水位センサ８２による浴槽５１内の水位検出と風呂用流量カウンタ７４による流量検出とを伴いつつ行われ、平均浴槽断面積Ａｂｔｈは、このときに検出された水位と流量とに基づいて設定される。このように平均浴槽断面積Ａｂｔｈを予め設定しておくことで、以後の湯張り運転等において、時間のかかる風呂水位センサ８２による水位検出をしつつ給湯する必要がなく、平均浴槽断面積Ａｂｔｈを用いて浴槽５１内の水位を推定しつつ給湯することができるので、湯張り運転等を迅速に行うことができる。
【００４０】
給湯混合弁２５および風呂混合弁２４は、それぞれの出口側に設けられた各サーミスタ６１、７３によって検出される給湯用水の湯温に基づいてフィードバック制御が行われている。また各流量カウンタ６２、７４がそれぞれ給湯配管２７、風呂用配管２８内の水の流れを検出したときは、それぞれの配管の末端にある給湯水栓、シャワー５４または風呂用電磁弁７１が開弁されて給湯用水を出湯している状態である。
【００４１】
浴槽５１には、浴槽５１内の浴水を循環するための浴水循環回路８０が接続している。浴水循環回路８０は、貯湯タンク１１内の高温の湯を循環する熱負荷回路１４との間で熱交換するための風呂熱交換器４２に浴水を循環する。浴水循環回路８０は、浴槽５１内の浴水を風呂熱交換器４２の上流端に導く風呂往き配管８１と、風呂熱交換器４２で熱交換された浴水を浴槽５１内に導く風呂戻り配管８６とから構成されている。
【００４２】
風呂往き配管８１には、上流側から順に、風呂水位センサ８２、風呂循環センサ８３、風呂追焚きサーミスタ８５および風呂循環ポンプ８４が設けられている。また風呂戻り配管８６には、風呂熱交サーミスタ８７が設けられている。
【００４３】
風呂水位センサ８２は、水位を示す物理値として風呂往き配管８１内の水圧を検出する圧力式の水位センサであり、風呂水位センサ８２からの検出信号を受け取る給湯制御部３８は、風呂水位センサ８２が検出した圧力を水位に換算する。
【００４４】
風呂循環センサ８３は、風呂往き配管８１の風呂熱交換器４２側に方向に浴水が流通しているか否かを検出するためのセンサである。風呂追焚きサーミスタ８５は、浴槽５１の浴水温度を検出する。風呂循環ポンプ８４は、浴槽５１の浴水を風呂往き配管８１から風呂熱交換器４２と風呂戻り配管８６とを経由して浴槽５１に戻す方向に循環させるポンプである。風呂熱交サーミスタ８７は風呂熱交換器４２の出口温度を検出する。また風呂用配管２８は、その下流端が風呂循環ポンプ８４と風呂熱交換器４２との間に風呂往き配管８１に繋がれている。
【００４５】
給湯制御部３８は、マイクロコンピュータを主体として構成され、その給湯制御部３８が内蔵するＲＯＭまたはＲＡＭには、予め設定された制御プログラムや更新可能な制御プログラムが備えられている。熱源制御部４０の構成もこれと同様である。また、給湯制御部３８と熱源制御部４０とは互いに通信可能に接続されており、相互に通信することにより１つの制御部として機能する。
【００４６】
また、給湯制御部３８は、各サーミスタからの温度情報、各流量カウンタおよび流水スイッチからの流量情報、その他のセンサからの検出情報、および台所リモコン９０や風呂リモコン９２などの操作スイッチからの操作信号等に基づいて、各混合弁、電磁弁、切替弁、風呂循環ポンプ８４などのアクチュエータ類を制御する。また、熱源制御部４０は、例えば給湯制御部３８からの信号に基づいて、ヒートポンプユニット１３を制御する。台所リモコン９０や風呂リモコン９２などの操作スイッチは、ヒートポンプユニット１３、蓄熱切替弁２６、沸上用循環ポンプ３３および風呂１次ポンプ４４を操作するために用いられる。
【００４７】
次に、給湯装置１０の動作に関して説明する。まず、ヒートポンプユニット１３を利用した貯湯タンク１１への湯の貯湯動作について説明する。
【００４８】
特定の沸上時間帯として例えば時間帯別電灯制度の夜間時間帯において、ヒートポンプユニット１３を運転させる。ヒートポンプユニット１３の運転により、貯湯タンク１１の下部の水を所定の沸上温度に沸き上げて貯湯タンク１１の上部に戻し、貯湯タンク１１の上部側から予め設定された湯量または貯湯タンク１１の全量分の湯を貯湯する。
【００４９】
次に、給湯動作について説明する。給湯配管２７の下流側に配設される給湯栓等を開くことにより、給水圧力により貯湯タンク１１内の湯が押し出される。そして、貯湯タンク１１からの湯と市水流入配管２１からの水とが各混合弁２４、２５、３０で混合されると共に各配管を通じて給湯される。
【００５０】
次に、浴槽５１の利用について説明する。浴槽５１に湯張りする場合、風呂用電磁弁７１を開くことにより、給水圧力により貯湯タンク１１内の湯が押し出され、給湯配管２７を通じて貯湯タンク１１からの湯と市水流入配管２１から給水される水とを風呂混合弁２４で混合して湯張り設定温度の湯とする。そしてこの湯を供給し、浴水循環回路８０を通じて浴槽５１に給湯する。そして、浴槽５１に湯張りした後は、所定時間毎に、風呂循環ポンプ８４を作動させて浴槽５１の浴槽水を浴水循環回路８０内に循環させ、風呂追焚きサーミスタ８５で浴槽水の温度を検知し、保温の必要つまり追い焚き動作の必要があるか監視する。
【００５１】
浴槽水の温度が設定温度よりも低下した際には自動的に追い焚き動作し、また、リモコンなどの手動操作によっても追い焚き動作する。追い焚き動作では、まず、風呂循環ポンプ８４を運転させ、浴槽水を浴水循環回路８０内に取り込んで風呂熱交換器４２に循環させる。その状態で、風呂１次ポンプ４４を運転させることにより、貯湯タンク１１内の湯を、取出配管４１を通じて取り出して風呂熱交換器４２に送り込む。そして風呂熱交換器４２で貯湯タンク１１からの湯と浴槽５１からの浴槽水とで熱交換させ、この熱交換により温度上昇した浴槽水を風呂熱交サーミスタ８７で一定温度以上となるように、風呂１次ポンプ４４の回転数を増加減し浴槽５１に戻し、浴槽５１内の湯温を上昇させる。なお、取出配管４１に取り出す湯は、蓄熱切替弁２６により、取出配管４１から取り出す貯湯タンク１１の上部の湯とヒートポンプユニット１３から直接供給される湯との混合比率を調整して取り出す。さらに、風呂熱交換器４２を通過して温度低下した貯湯タンク１１からの湯は、取入配管４３を通じて貯湯タンク１１に戻す。
【００５２】
次に、各リモコン９０、９２に関して説明する。台所リモコン９０は、例えば台所に設置されて給湯制御部３８と電気的に通信可能に接続されている。すなわち、台所リモコン９０は、ヒートポンプユニット１３および貯湯タンクユニット２０を遠隔操作するための遠隔操作装置である。台所リモコン９０は本発明のリモコン装置に対応する。この台所リモコン９０の外観図が図２に示され、台所リモコン９０等のブロック図が図３に示されている。
【００５３】
図２および図３に示すように、台所リモコン９０は、文字や図形を含む画像を表示する表示部としての表示パネル９０１と、操作者すなわちユーザによって操作される操作部９０２と、電子制御装置であるリモコン制御部９０３とを備えている。表示パネル９０１は、例えばカラー表示可能な液晶表示パネルで構成されている。操作部９０２は、複数の押しボタン式の操作スイッチから構成されており、具体的には、ふろ自動ボタン９０２ａ、タンク湯増しボタン９０２ｂ、通話ボタン９０２ｃ、おこのみボタン９０２ｄ、選択ボタン９０２ｅ、決定ボタン９０２ｆ、およびエコマメボタン９０２ｇを備えている。
【００５４】
リモコン制御部９０３は、例えば所定のプログラムに従って、操作部９０２からの操作信号を受け取ると共に表示パネル９０１へ制御信号を出力して表示パネル９０１に画像を表示させる。また、操作部９０２からの操作信号に基づいたヒートポンプユニット１３または貯湯タンクユニット２０の動作を指令する指令信号を給湯制御部３８に出力する。また、後述の図１１〜１３のフローチャートに示された制御処理も実行する。
【００５５】
また、風呂リモコン９２も上記の台所リモコン９０と同様の構成であり、例えば浴槽５１内の浴水を追い焚きするための追い焚きスイッチ等を備えている。
【００５６】
ところで、給湯装置１０が故障などした場合に、給湯制御部３８の主要部分を成す制御基板９４が新たなものに交換されることがある。このような基板交換を可能とするために、その制御基板９４は、給湯制御部３８から着脱可能に構成されている。図４は、その制御基板９４を交換すると共に、貯湯タンクユニット２０の運転に関わる情報を含む記号列を示すように構成された設定コードＣＤｍ（図６参照）を制御基板９４の交換前から交換後に引き継ぐ基板交換方法を説明するためのフローチャートである。以下において、図４を用いて給湯装置１０の基板交換方法を説明する。なお、説明を判りやすくするため、交換前の制御基板９４を明示するときはその交換前の制御基板９４を旧制御基板９４ａと呼び、交換後の制御基板９４を明示するときはその交換後の制御基板９４を新制御基板９４ｂと呼ぶものとする。また、図４のステップＰ００１（以下、「ステップ」を省略する）は本発明の設定コード表示工程に対応し、Ｐ００２は本発明の設定コード記録工程に対応し、Ｐ００４は基板交換工程に対応し、Ｐ００６は本発明の入力工程に対応する。
【００５７】
図４のフローチャートは、旧制御基板９４ａを給湯制御部３８へ搭載したままで、台所リモコン９０が給湯制御部３８からの情報を表示することができる場合に実施される。そして、給湯装置１０へ電力が供給されている電源オン状態すなわち給湯装置１０の電源ブレーカが電源オンの位置にある状態で開始される。
【００５８】
図４に示すＰ００１では、作業者は、台所リモコン９０の表示パネル９０１（図２参照）に設定コードＣＤｍ（図６参照）を表示させる。具体的には、その設定コードＣＤｍを表示させるための予め定められた設定コード表示操作を台所リモコン９０の操作部９０２に対して行う。なお、制御基板９４には、ＥＥＰＲＯＭまたはフラッシュメモリなどで構成された記憶部９４１（図１参照）が含まれており、設定コードＣＤｍはその記憶部９４１に記憶されている。また、設定コードＣＤｍについて詳しくは後述する。
【００５９】
例えば上記設定コード表示操作では、先ず作業者は、複数のボタン（例えば、ふろ自動ボタン９０２ａとタンク湯増しボタン９０２ｂと通話ボタン９０２ｃ）を同時に、数秒間程度の所定時間以上長押しする。そうすると、表示パネル９０１の表示が図５のように切り替わる。次に設定コード表示操作では、図５の表示内の右側の「設定コード」を選択ボタン９０２ｅで選択してから決定ボタン９０２ｆを押す。そうすると、表示パネル９０１の表示が図６のように切り替わる。すなわち、表示パネル９０１に設定コードＣＤｍが表示される。確認的に述べるが、Ｐ００１では、給湯制御部３８は旧制御基板９４ａが搭載された状態である。
【００６０】
図４に戻り、Ｐ００１に続くＰ００２では、作業者は、Ｐ００１にて表示パネル９０１に表示させた設定コードＣＤｍを記録する。例えば、その設定コードＣＤｍを記録用紙に記載してもよいし、設定コードＣＤｍが表示された表示パネル９０１をデジタルカメラで撮影してもよい。
【００６１】
続くＰ００３では、作業者は、給湯装置１０の電源ブレーカを電源オンの位置から電源オフの位置に切り替える。これにより、給湯装置１０は、給湯装置１０への電力供給が遮断された電源オフ状態になる。
【００６２】
続くＰ００４では、給湯制御部３８の制御基板９４を新たな制御基板９４に交換する。すなわち、給湯制御部３８から旧制御基板９４ａを取り外し、その替わりに、給湯制御部３８へ新制御基板９４ｂを取り付ける。このときの新制御基板９４ｂは新品であるので、新制御基板９４ｂの記憶部９４１に記憶されている設定コードＣＤｍは初期値になっている。設定コードＣＤｍの初期値とは、後述の図１０に示すコードＮｏ．１〜２６の全てのデータが初期値であるということである。
【００６３】
続くＰ００５では、作業者は、給湯装置１０の電源ブレーカを電源オフの位置から電源オンの位置に切り替える。これにより、給湯装置１０は電源オン状態になる。
【００６４】
続くＰ００６では、作業者は、新制御基板９４ｂが有する記憶部９４１へ、上記Ｐ００２で記録した設定コードＣＤｍを記憶させるために、その設定コードＣＤｍを台所リモコン９０の操作部９０２に対して入力する設定コード入力操作を行う。
【００６５】
例えば記憶部９４１の設定コードＣＤｍが初期値のまま給湯装置１０が電源オフ状態から電源オン状態へ切り替えられると、設定コードＣＤｍの入力を受け付ける図７の設定コード入力画面が自動的に台所リモコン９０の表示パネル９０１に表示される。上記設定コード入力操作では、作業者は、選択ボタン９０２ｅを操作して、上記Ｐ００２で記録した設定コードＣＤｍを台所リモコン９０へ入力する。例えば、設定コードＣＤｍの全桁を入力すると図７の設定コード入力画面が図８の画面のようになる。そして、図８のように設定コードＣＤｍの全桁を入力した後に決定ボタン９０２ｆを押す。そうすると、入力された設定コードＣＤｍが給湯制御部３８へ送信され、給湯制御部３８は、その入力された設定コードＣＤｍを新制御基板９４ｂの記憶部９４１へ記憶させる。
【００６６】
ここで、上記の設定コードＣＤｍについて説明する。設定コードＣＤｍは、貯湯タンクユニット２０の運転に関わる情報を含む記号列を示すように構成されており、例えば図６のように２６桁の記号列から成っている。図６では、設定コードＣＤｍは２段表示されており、上段左端の「Ａ」から下段右端の「Ｋ」まで続く一連の記号列となっている。この記号列の各記号は、図９の対応表に示すように、５ｂｉｔデータである数値に一対一で対応している。要するに、上記記号列の各記号は十進数の０〜３１の何れかの数値を示すので、設定コードＣＤｍは２６桁の３２進数で表現されている。例えば、設定コードＣＤｍを構成する記号「Ａ」は、十進数の「１０」、すなわち５ｂｉｔデータである二進数の「０１０１０」を示す。
【００６７】
具体的に、設定コードＣＤｍを構成する２６桁の各記号は、図１０に示すように定義付けられている。詳細には、図６の上段左端の桁から下段右端の桁までが順に、図１０のコードＮｏ．１〜２６言い換えればコード番号１〜２６に対応している。すなわち、図６において上段左端の桁は「Ａ」であるので、図１０のコードＮｏ．１に設定されている５ｂｉｔデータは、「Ａ」に対応した二進数「０１０１０」である。そして、このコードＮｏ．１の数値「０１０１０」は貯湯タンクユニット２０の仕様および機種を特定する機種情報を示すデータである。
【００６８】
また、設定コードＣＤｍは、図１０に示すように、給湯装置１０をユーザが使用するに従って更新されるデータも含んでいる。例えば、コードＮｏ．８〜１０およびＮｏ．１１のｂｉｔ０は、浴槽５１の湯張り完了毎に浴槽５１内の水位を平均した平均設定水位を示すデータである。
【００６９】
また、コードＮｏ．１１のｂｉｔ１〜４、コードＮｏ．１２〜１３、およびコードＮｏ．１４のｂｉｔ０〜１は、平均浴槽断面積Ａｂｔｈを示すデータであり、これも給湯装置１０の施工後に設定される値である。このように、設定コードＣＤｍは、給湯装置１０の施工後に更新されるデータを含んでいるので、それらのデータの更新と共に設定コードＣＤｍも更新される。
【００７０】
また、設定コードＣＤｍは、誤設定を防止するために複数のチェックサムを含んでいる。具体的には、コードＮｏ．６が第１チェックサムを示すデータになっており、コードＮｏ．２６が第２チェックサムを示すデータになっている。
【００７１】
その第１チェックサムは、コードＮｏ．１からＮｏ．５までの第１範囲の各記号に対応した数値に基づき予め定められた第１計算式から生成された算出値である。詳細には、その第１計算式はコードＮｏ．１からＮｏ．５までの各５ｂｉｔデータを足し合わせるものとなっており、そのコードＮｏ．１からＮｏ．５までの各５ｂｉｔデータを足し合わせた合計値を二進数表示した末尾５桁が第１チェックサムとして算出される。
【００７２】
また、第２チェックサムは、コードＮｏ．１からＮｏ．２５までの第２範囲の各記号に対応した数値に基づき予め定められた第２計算式から生成された算出値である。詳細には、その第２計算式はコードＮｏ．１からＮｏ．２５までの各５ｂｉｔデータを足し合わせるものとなっており、そのコードＮｏ．１からＮｏ．２５までの各５ｂｉｔデータを足し合わせた合計値を二進数表示した末尾５桁が第２チェックサムとして算出される。
【００７３】
以上説明したように設定コードＣＤｍは種々のデータから構成されている。例えば上述したように、設定コードＣＤｍを構成する２６桁の記号列は、貯湯タンクユニット２０の仕様および機種を特定する機種情報を示す記号、平均浴槽断面積Ａｂｔｈを示す記号、第１チェックサムを示す記号、および第２チェックサムを示す記号などを含んでいる。そして、機種情報を示す記号すなわちコードＮｏ．１は、第１チェックサムを算出する基になる第１範囲と、第２チェックサムを算出する基になる第２範囲との両方に入っている。
【００７４】
また、設定コードＣＤｍがＰ００６（図４参照）での設定コード入力操作等によって給湯制御部３８の記憶部９４１に記憶されることで、設定コードＣＤｍを構成する各５ｂｉｔデータに対応した項目、例えば図１０に示す機種情報、平均設定水位、平均浴槽断面積Ａｂｔｈ、当日及び１日前のヒートポンプ稼働時間、当日及び１日前の１日当たりの使用湯量等が特定される。なお、設定コードＣＤｍは、上述した機種情報等以外のデータも含んでいるが、図１０の説明については、本発明の理解に必要な点を説明するにとどめるものとする。
【００７５】
次に、図４のＰ００１で設定コード表示操作が為されたことにより設定コードＣＤｍ（図６参照）を表示する制御処理について、図１１のフローチャートを用いて説明する。この図１１のフローチャートは、給湯装置１０の電源オン状態において周期的に繰り返し実行される。図１１のＳ１０１〜Ｓ１０３は、給湯制御部３８が実行するステップであり、図１１のＳ２０１〜Ｓ２０４は、台所リモコン９０のリモコン制御部９０３が実行するステップである。
【００７６】
図１１のＳ２０１では、リモコン制御部９０３は、図４のＰ００１で為される設定コード表示操作があったか否かを、操作部９０２からの信号に基づいて判定する。このＳ２０１において、設定コード表示操作があったと判定した場合には、Ｓ２０２以降のステップを実行する。Ｓ２０２では、設定コードＣＤｍを問い合わせる問合せ信号を給湯制御部３８へ発信する。
【００７７】
Ｓ１０１では、給湯制御部３８は、設定コードＣＤｍの問い合わせがリモコン制御部９０３からあったか否か、すなわち、上記問合せ信号があったか否かを判定する。このＳ１０１において、問合せ信号があったと判定した場合には、Ｓ１０２以降のステップを実行する。その一方で、給湯制御部３８は、上記問合せ信号がなかったと判定した場合には、本フローチャートを終了し再びＳ１０１を実行する。
【００７８】
Ｓ１０２では、給湯制御部３８は、記憶部９４１から、その記憶部９４１に記憶されている設定コードＣＤｍを取得する。そして、続くＳ１０３において、給湯制御部３８は、その取得した設定コードＣＤｍをリモコン制御部９０３へ送信する。
【００７９】
Ｓ２０２に続くＳ２０３では、リモコン制御部９０３は、設定コードＣＤｍの受信待ちをする。そして、設定コードＣＤｍが給湯制御部３８から受信されると、Ｓ２０４へ進む。
【００８０】
Ｓ２０４では、リモコン制御部９０３は、記憶部９４１に記憶されている設定コードＣＤｍすなわち給湯制御部３８から受信した設定コードＣＤｍを、表示パネル９０１に表示させる。例えば、図６のように表示させる。
【００８１】
なお、上述した図１１の各ステップでの処理は、それぞれの機能を実現する手段を構成している。後述する図１２および図１３のフローチャートでも同様である。また、図１１のＳ２０４は本発明の表示制御手段に対応する。
【００８２】
次に、図４のＰ００６で設定コード入力操作が行われる際に実行される制御処理について、図１２および図１３のフローチャートを用いて説明する。この図１２および図１３のフローチャートは、電源ブレーカの操作によって給湯装置１０が電源オフ状態から電源オン状態へ切り替えられる毎に実行される。図１２のＳ３０１〜Ｓ３０５および図１３のＳ３０６〜Ｓ３１４は、給湯制御部３８が実行するステップであり、図１２のＳ４０１〜Ｓ４０８および図１３のＳ４０９〜Ｓ４１６は、台所リモコン９０のリモコン制御部９０３が実行するステップである。
【００８３】
例えば図４のＰ００５にて電源ブレーカが操作され、それにより給湯装置１０が電源オフ状態から電源オン状態へ切り替えられると、図１２及び図１３のフローチャートが開始する。先ず、図１２のＳ３０１では、給湯制御部３８は、予め定められた入力開始条件が成立したか否かを判定する。その入力開始条件とは、給湯装置１０が電源オフ状態から電源オン状態へ切り替えられることという第１の条件と、その電源オン状態へ切り替えられた時において、記憶部９４１に記憶されている設定コードＣＤｍの中で機種情報を示すコードＮｏ．１（図１０参照）が初期値であることという第２の条件とから構成されている。
【００８４】
従って、Ｓ３０１では上記第１の条件は満たされているので、給湯制御部３８は、上記第２の条件の成否を確認するために、記憶部９４１に記憶されている設定コードＣＤｍを読み出し、その設定コードＣＤｍの中のコードＮｏ．１が初期値であるか否かを判定する。そのコードＮｏ．１の初期値は、例えば５ｂｉｔデータで「０００００」である。上記Ｐ００５にて給湯装置１０が電源オフ状態から電源オン状態へ切り替えられたときには、給湯制御部３８の制御基板９４は新品であるので、設定コードＣＤｍのコードＮｏ．１は初期値になっている。
【００８５】
このＳ３０１において、設定コードＣＤｍの中のコードＮｏ．１が初期値であると判定した場合には、上記の入力開始条件が成立しているので、Ｓ３０２以降のステップを実行する。Ｓ３０２では、設定コードＣＤｍの中のコードＮｏ．１が初期値である旨を台所リモコン９０のリモコン制御部９０３へ送信する。
【００８６】
Ｓ４０１では、リモコン制御部９０３は、設定コードＣＤｍの中のコードＮｏ．１が初期値である旨を給湯制御部３８から受信したか否かを判定する。このＳ４０１において、上記初期値である旨を受信したと判定した場合には、Ｓ４０２以降のステップを実行する。その一方で、リモコン制御部９０３は、上記初期値である旨を受信していないと判定した場合には、Ｓ４０１を再び実行する。
【００８７】
Ｓ４０２では、リモコン制御部９０３は、図７の設定コード入力画面を表示パネル９０１に表示させる。そして、操作部９０２の操作によって入力される設定コードＣＤｍを受け付ける。Ｓ４０２の次はＳ４０３へ進む。
【００８８】
Ｓ４０３では、リモコン制御部９０３は、設定コードＣＤｍの入力操作が完了したか否かを判定する。設定コードＣＤｍの入力操作は、選択ボタン９０２ｅを使って行われる。具体的に、リモコン制御部９０３は、図８のように設定コードＣＤｍの２６桁全てが設定コードＣＤｍを構成可能な構成記号（図９参照）で入力され、且つその後に決定ボタン９０２ｆが押された場合に、設定コードＣＤｍの入力操作が完了したと判定する。
【００８９】
Ｓ４０３において、設定コードＣＤｍの入力操作が完了したと判定した場合には、Ｓ４０４へ進む。その一方で、設定コードＣＤｍの入力操作が完了していないと判定した場合には、Ｓ４０２に戻り、Ｓ４０２において設定コードＣＤｍの入力受付を継続する。
【００９０】
Ｓ４０４では、リモコン制御部９０３は、Ｓ４０２にて入力された設定コードＣＤｍにおいてコードＮｏ．６の第１チェックサム（図１０参照）とコードＮｏ．２６の第２チェックサムとがそれぞれ正しいか否かを判定する。
【００９１】
具体的には、入力された設定コードＣＤｍに基づいて上述の第１計算式に従って生成した算出値とコードＮｏ．６の第１チェックサムとが一致するか否かを判定し、一致した場合には第１チェックサムは正しいと判定する。つまり、第１計算式に従って、入力された設定コードＣＤｍのコードＮｏ．１〜５の各５ｂｉｔデータを足し合わせた合計値を二進数表示した末尾５桁が上記算出値として算出される。そして、その算出値とコードＮｏ．６の第１チェックサムとが一致した場合に、リモコン制御部９０３は第１チェックサムが正しいと判定する。
【００９２】
また、これと同様に、入力された設定コードＣＤｍに基づいて上述の第２計算式に従って生成した算出値とコードＮｏ．２６の第２チェックサムとが一致するか否かを判定し、一致した場合には第２チェックサムは正しいと判定する。つまり、第２計算式に従って、入力された設定コードＣＤｍのコードＮｏ．１〜２５の各５ｂｉｔデータを足し合わせた合計値を二進数表示した末尾５桁が上記算出値として算出される。そして、その算出値とコードＮｏ．２６の第２チェックサムとが一致した場合に、リモコン制御部９０３は第２チェックサムが正しいと判定する。
【００９３】
Ｓ４０４において、第１チェックサムと第２チェックサムとの両方が正しいと判定した場合には、Ｓ４０６へ進む。その一方で、第１チェックサムと第２チェックサムとの少なくとも一方が誤っていると判定した場合には、Ｓ４０５へ進む。Ｓ４０５では、チェックサムのエラーがあった旨を表示パネル９０１に表示させ、Ｓ４０５の次はＳ４０２へ戻る。このとき、Ｓ４０２では、表示パネル９０１の設定コード入力画面を図７のような設定コード入力前に戻さずに、図８のように入力済みの設定コードＣＤｍを表示させたままにする。
【００９４】
Ｓ４０６では、リモコン制御部９０３は、Ｓ４０２にて入力された設定コードＣＤｍを給湯制御部３８へ送信する。続くＳ４０７では、その入力された設定コードＣＤｍを一時的に、例えばＲＡＭ等で構成された記憶装置に記憶させる。
【００９５】
Ｓ３０２に続くＳ３０３では、給湯制御部３８は、設定コードＣＤｍの受信待ちをする。そして、設定コードＣＤｍがリモコン制御部９０３から受信されると、Ｓ３０４へ進む。
【００９６】
Ｓ３０４では、給湯制御部３８は、受信した設定コードＣＤｍを一時的に、記憶部９４１以外の一時的記憶装置に記憶させる。その一時的記憶装置は例えばＲＡＭ等で構成されている。続くＳ３０５では、その一時的記憶装置に記憶された設定コードＣＤｍをリモコン制御部９０３へ送信する。
【００９７】
Ｓ４０７に続くＳ４０８では、リモコン制御部９０３は、設定コードＣＤｍの受信待ちをする。そして、設定コードＣＤｍが給湯制御部３８から受信されると、図１３のＳ４０９へ進む。
【００９８】
Ｓ４０９では、リモコン制御部９０３は、給湯制御部３８から受信した設定コードＣＤｍを、Ｓ４０７にて記憶させた設定コードＣＤｍと照合し、その照合の結果、両方の設定コードＣＤｍが互いに同じか否かを判定する。両方の設定コードＣＤｍが互いに同じであれば、給湯制御部３８とリモコン制御部９０３との間の設定コードＣＤｍの送受信に異常が無かったということである。
【００９９】
Ｓ４０９において、両方の設定コードＣＤｍが互いに同じであると判定した場合には、Ｓ４１２へ進む。その一方で、両方の設定コードＣＤｍが互いに異なると判定した場合には、Ｓ４１０へ進む。
【０１００】
Ｓ４１０では、エラーフラグＦＬＧｅｒを１に設定し、その設定を行ってから、エラーフラグＦＬＧｅｒを給湯制御部３８へ送信する。Ｓ４１０に続くＳ４１１では、給湯制御部３８と台所リモコン９０との間での通信エラーがあった旨を表示パネル９０１に表示させ、Ｓ４１１の次はＳ４０２へ戻る。このとき、Ｓ４０２では、Ｓ４０５から戻ったときと同様に、図８のように入力済みの設定コードＣＤｍを表示させたままにする。
【０１０１】
Ｓ４１２では、エラーフラグＦＬＧｅｒを０に設定し、その設定を行ってから、エラーフラグＦＬＧｅｒを給湯制御部３８へ送信する。
【０１０２】
図１２のＳ３０５に続く図１３のＳ３０６では、給湯制御部３８は、エラーフラグＦＬＧｅｒの受信待ちをする。そして、エラーフラグＦＬＧｅｒがリモコン制御部９０３から受信されると、Ｓ３０７へ進む。
【０１０３】
Ｓ３０７では、給湯制御部３８は、リモコン制御部９０３から受信したエラーフラグＦＬＧｅｒが０であるか否かを判定する。Ｓ３０７において、エラーフラグＦＬＧｅｒが０であると判定した場合、すなわち、Ｓ４０９にて給湯制御部３８とリモコン制御部９０３との間の設定コードＣＤｍの送受信に異常が無かったと判定された場合には、Ｓ３０８へ進む。その一方で、エラーフラグＦＬＧｅｒが０ではないと判定した場合には、図１２のＳ３０３へ戻る。
【０１０４】
図１３のＳ３０８では、給湯制御部３８は、熱源制御部４０（図１参照）と通信することによりヒートポンプユニット１３の仕様を熱源制御部４０から取得する。ヒートポンプユニット１３の仕様は例えば図１４に例示されている。図１４は、ヒートポンプユニット１３の仕様と貯湯タンクユニット２０の仕様とを給湯装置１０の機種毎に例示した仕様対応表である。
【０１０５】
図１４に示すように、ヒートポンプユニット１３の仕様は、例えばヒートポンプユニット１３の加熱能力、および、ヒートポンプユニット１３が設置される設置地域の一般地／寒冷地の別などを含む多数の項目から構成されている。また、貯湯タンクユニット２０の仕様は、例えば貯湯タンク１１のタンク容量、および、貯湯タンクユニット２０が設置される設置地域の一般地／寒冷地の別などを含む多数の項目から構成されている。なお、図１４の表では、横方向に並んで表示されている貯湯タンクユニット２０の仕様とヒートポンプユニット１３の仕様とが互いに対応し、この図１４の仕様対応表が示す仕様の組合せ関係から外れたヒートポンプユニット１３と貯湯タンクユニット２０との組み合わせは存在しない。
【０１０６】
図１３に戻り、Ｓ３０８に続くＳ３０９では、給湯制御部３８は、Ｓ３０４（図１２参照）にて一時的記憶装置に記憶された設定コードＣＤｍを読み出し、その設定コードＣＤｍの中のコードＮｏ．１が示す機種情報（図１０参照）から貯湯タンクユニット２０の仕様を特定する。そのために、給湯制御部３８は、図１４に示す機種情報と貯湯タンクユニット２０の仕様との予め設定された対応関係すなわち対応マップを記憶しており、その対応マップを用いて貯湯タンクユニット２０の仕様を特定する。
【０１０７】
そして、貯湯タンクユニット２０の仕様とヒートポンプユニット１３の仕様との仕様組合せ関係が図１４の両仕様の組合せに示すように予め定められ、給湯制御部３８に記憶されている。その仕様組合せ関係すなわち仕様組合せマップは、貯湯タンクユニット２０およびヒートポンプユニット１３の仕様の項目毎の組合せを定めるものである。例えば、上記仕様組合せマップでは、貯湯タンクユニット２０の仕様におけるタンク容量３７０Ｌに対してはヒートポンプユニット１３の仕様における加熱能力４．５ｋＷが組み合わされ、タンク容量４６０Ｌに対しては加熱能力６ｋＷが組み合わされるものと定められている。また、貯湯タンクユニット２０の仕様における設置地域の一般地に対してはヒートポンプユニット１３の仕様における設置地域の一般地が組み合わされ、貯湯タンクユニット２０の仕様における設置地域の寒冷地に対してはヒートポンプユニット１３の仕様における設置地域の寒冷地が組み合わされるものと定められている。
【０１０８】
給湯制御部３８は、上記のように機種情報から貯湯タンクユニット２０の仕様を特定すると、その特定した貯湯タンクユニット２０の仕様をその項目毎に、Ｓ３０８にて取得したヒートポンプユニット１３の仕様と照合する。そして、その貯湯タンクユニット２０の仕様とそのヒートポンプユニット１３の仕様との組合せが上記仕様組合せマップに従っているか否かを判定する。要するに、それらの両仕様が給湯装置１０全体として互いに整合するか否かを判定する。
【０１０９】
例えば、貯湯タンクユニット２０の仕様とヒートポンプユニット１３の仕様との一方では設置地域が寒冷地であり他方では設置地域が一般地であるとすれば、それらの組合せが上記仕様組合せマップに従ってはいないと判定する。
【０１１０】
両仕様の組合せにおいて仕様の全項目が上記仕様組合せマップに従っている場合に、両仕様の組合せが上記仕様組合せマップに従っていると判定する。すなわち、その両仕様が互いに整合すると判定する。
【０１１１】
Ｓ３０９において、機種情報から特定された貯湯タンクユニット２０の仕様とヒートポンプユニット１３の仕様との組合せが上記仕様組合せマップに従っていると判定した場合には、Ｓ３１０にて整合フラグＦＬＧｃｎを１に設定し、Ｓ３１０の次にＳ３１２へ進む。その一方で、Ｓ３０９において、両仕様の組合せが上記仕様組合せマップに従ってはいないと判定した場合には、Ｓ３１１にて整合フラグＦＬＧｃｎを０に設定し、Ｓ３１１の次にＳ３１２へ進む。
【０１１２】
Ｓ３１２では、給湯制御部３８は、整合フラグＦＬＧｃｎをリモコン制御部９０３へ送信する。続くＳ３１３では、整合フラグＦＬＧｃｎが１であるか否かを判定する。Ｓ３１３において、整合フラグＦＬＧｃｎが１であると判定した場合には、Ｓ３１４へ進む。その一方で、整合フラグＦＬＧｃｎが１ではないと判定した場合には、図１２のＳ３０３へ戻る。
【０１１３】
図１３のＳ３１４では、給湯制御部３８は、Ｓ３０４（図１２参照）にて一時的記憶装置に記憶された設定コードＣＤｍ、すなわちリモコン制御部９０３がＳ４０２にて受け付けた設定コードＣＤｍを、記憶部９４１に記憶させる。
【０１１４】
Ｓ４１２に続くＳ４１３では、リモコン制御部９０３は、整合フラグＦＬＧｃｎの受信待ちをする。そして、整合フラグＦＬＧｃｎが給湯制御部３８から受信されると、Ｓ４１４へ進む。
【０１１５】
Ｓ４１４では、リモコン制御部９０３は、給湯制御部３８から受信した整合フラグＦＬＧｃｎが１であるか否かを判定する。
【０１１６】
Ｓ４１４において、整合フラグＦＬＧｃｎが１であると判定した場合、すなわちＳ３０９にて設定コードＣＤｍに基づく貯湯タンクユニット２０の仕様がヒートポンプユニット１３の仕様と整合すると判定された場合には、Ｓ４１６へ進む。その一方で、整合フラグＦＬＧｃｎが１ではないと判定した場合には、Ｓ４１５へ進む。Ｓ４１５では、入力された設定コードＣＤｍが誤っている旨を表示パネル９０１に表示させ、Ｓ４１５の次は図１２のＳ４０２へ戻る。このとき、Ｓ４０２では、Ｓ４０５から戻ったときと同様に、図８のように入力済みの設定コードＣＤｍを表示させたままにする。
【０１１７】
図１３のＳ４１６では、リモコン制御部９０３は、表示パネル９０１の表示を、図８のような設定コード入力画面から、図２に示すような給湯設定温度などが表示される通常画面へ切り替えさせる。
【０１１８】
上述した図１２および図１３のフローチャートにおいて、Ｓ３０９は本発明の仕様判定手段に対応し、Ｓ３１４は本発明の記憶制御手段に対応し、Ｓ４０２およびＳ４０３は本発明の入力受付手段に対応する。
【０１１９】
本実施形態の給湯装置１０では、図１に示すように、給湯制御部３８の制御基板９４は、記憶部９４１に記憶されている設定コードＣＤｍの中に示されている機種情報を初期化するための初期化スイッチ９４２を備えている。その初期化スイッチ９４２は、上記機種情報を初期化する場合に操作者によって操作されるスイッチである。そして、給湯制御部３８は、その初期化スイッチ９４２からの操作信号を逐次受ける初期化手段３８４を機能的に備えており、初期化手段３８４は、初期化スイッチ９４２が操作された場合にのみ上記機種情報を初期化する。その機種情報の初期化とは、具体的には、設定コードＣＤｍのコードＮｏ．１（図１０参照）を初期値に設定すること、すなわち二進数で「０００００」に設定することである。
【０１２０】
上述したように、本実施形態によれば、記憶部９４１に記憶されている設定コードＣＤｍは、予め定められた設定コード表示操作が台所リモコン９０の操作部９０２に対して為された場合に、図１１のＳ２０４にて表示パネル９０１に表示される。また、設定コードＣＤｍが操作部９０２の操作によって入力されると（図１２のＳ４０２参照）、その入力された設定コードＣＤｍが記憶部９４１に記憶される。
【０１２１】
従って、記憶部９４１を含む制御基板９４の基板交換を行う作業者は、取り外す旧制御基板９４ａの記憶部９４１に記憶されている設定コードＣＤｍを表示パネル９０１に表示させ、その設定コードＣＤｍを、基板交換をした後に入力することで、新旧制御基板９４ａ、９４ｂ同士を相互に通信可能に接続することなく、旧制御基板９４ａの記憶部９４１に記憶されたデータである設定コードＣＤｍを新制御基板９４ｂの記憶部９４１へ移動することが可能である。なお、旧制御基板９４ａの記憶部９４１に記憶された設定コードＣＤｍを新制御基板９４ｂの記憶部９４１へ移動することは、その設定コードＣＤｍを新制御基板９４ｂの記憶部９４１へ複製することを含むものである。
【０１２２】
また、本実施形態によれば、給湯制御部３８と通信可能に接続された台所リモコン９０は表示パネル９０１と操作部９０２とを有し、その台所リモコン９０の表示パネル９０１に設定コードＣＤｍが表示され、台所リモコン９０の操作部９０２を用いて設定コードＣＤｍが入力されるので、給湯装置１０の既存の設備を利用して設定コードＣＤｍの表示および入力を行うことが可能である。
【０１２３】
また、本実施形態によれば、設定コードＣＤｍが示す記号列は、貯湯タンクユニット２０の仕様を特定する機種情報を示す記号を含んでいる。すなわち、図１０に示すように、設定コードＣＤｍのコードＮｏ．１は機種情報を示すものとなっている。従って、交換される制御基板９４を貯湯タンクユニット２０の機種毎の専用部品とする必要がなく、制御基板９４を貯湯タンクユニット２０の複数機種に共通して使用される共通部品とすることが可能である。
【０１２４】
また、本実施形態によれば、図１３のＳ３０９において、図１２のＳ４０２にて入力された設定コードＣＤｍのコードＮｏ．１（図１０参照）が示す機種情報で特定される貯湯タンクユニット２０の仕様とヒートポンプユニット１３の仕様との組合せが、それらの仕様の組合せを予め定めた仕様組合せマップに従っているか否かが判定される。そして、その両仕様の組合せが仕様組合せマップに従っていると判定された場合に、設定コードＣＤｍは記憶部９４１に記憶される。従って、設定コードＣＤｍの入力ミスなどにより誤った設定コードＣＤｍが記憶部９４１に記憶されることに起因して給湯装置１０の動作に不具合が生じることを回避することが可能である。
【０１２５】
また、本実施形態によれば、設定コードＣＤｍは、図１０に示すコードＮｏ．１からＮｏ．５までの第１範囲に属する数値データに基づいて生成された第１チェックサムと、コードＮｏ．１からＮｏ．２５までの第２範囲に属する数値データに基づいて生成された第２チェックサムとを含んでいる。そして、貯湯タンクユニット２０の機種情報を示すコードＮｏ．１の数値データは上記第１範囲と第２範囲との両方に属している。従って、記憶部９４１に機種情報が誤って設定されることを、設定コードＣＤｍのチェックサムが１つの場合と比較してより十分に防止することができる。
【０１２６】
また、本実施形態によれば、給湯制御部３８の制御基板９４は、記憶部９４１に記憶されている設定コードＣＤｍの中に示されている機種情報を初期化するための初期化スイッチ９４２を備えている。そして、給湯制御部３８は、その初期化スイッチ９４２からの操作信号を逐次受けており、初期化スイッチ９４２が操作された場合にのみ上記機種情報を初期化する。従って、誤った機種情報を含む設定コードＣＤｍが記憶部９４１に記憶された場合などにその機種情報を初期化できると共に、給湯制御部３８において設定されている他の設定データなどと共に上記機種情報が誤って初期化されることを防止することが可能である。
【０１２７】
また、本実施形態によれば、設定コードＣＤｍが示す記号列は、浴槽５１に応じて定められている定数である平均浴槽断面積Ａｂｔｈを示す記号を含んでいる。具体的には、図１０に示すように、設定コードＣＤｍのコードＮｏ．１１のｂｉｔ１〜４、コードＮｏ．１２〜１３、およびコードＮｏ．１４のｂｉｔ０〜１は平均浴槽断面積Ａｂｔｈを示すものとなっている。ここで、平均浴槽断面積Ａｂｔｈは浴槽５１に応じた定数であるので、給湯装置１０の施工後に試運転等を行うことによって設定される。従って、例えば制御基板９４の交換の際に平均浴槽断面積Ａｂｔｈを再設定するために試運転等を行う作業を省くことが可能である。
【０１２８】
また、本実施形態によれば、設定コードＣＤｍが記憶される記憶部９４１は不揮発性の記憶装置で構成されているので、給湯装置１０が電源オフ状態になっても設定コードＣＤｍを保持することが可能である。
【０１２９】
また、本実施形態によれば、作業者は、給湯制御部３８において旧制御基板９４ａを新制御基板９４ｂへ交換する際、旧制御基板９４ａの記憶部９４１に記憶されている設定コードＣＤｍを台所リモコン９０の表示パネル９０１に表示させ、その表示させた設定コードＣＤｍを記録する。次に、旧制御基板９４ａを新制御基板９４ｂに交換し、その交換した新制御基板９４ｂの記憶部９４１へ上記記録した設定コードＣＤｍを記憶させるために、その設定コードＣＤｍを台所リモコン９０の操作部９０２に対して入力する。従って、旧制御基板９４ａと新制御基板９４ｂとを相互に通信可能に接続することなく、旧制御基板９４ａの記憶部９４１に記憶されたデータである設定コードＣＤｍを新制御基板９４ｂの記憶部９４１へ移動することが可能である。
【０１３０】
（他の実施形態）
（１）上述の実施形態では、給湯制御部３８が有する記憶部９４１は、ＥＥＰＲＯＭまたはフラッシュメモリなどで構成されているが、記憶部９４１は不揮発性の記憶装置であればよく、例えばハードディスク装置など機械的な構成部品を含むものであっても差し支えない。
【０１３１】
（２）上述の実施形態において、設定コードＣＤｍは複数桁の記号列から構成され、図６のようにその記号列でそのまま表示パネル９０１に表示されるが、設定コードＣＤｍは、そのように複数桁の記号列でそのまま表示される必要はなく、例えば、その複数桁の記号列を示すように構成されたバーコードやマトリックス型二次元コードで表示されても差し支えない。そのようにバーコード等で表示されるのであれば、図４のＰ００２において、バーコードを読み取るバーコードリーダ等を用いることで、設定コードＣＤｍを記録する作業負担を減らし作業時間の短縮を図ることが可能である。
【０１３２】
（３）上述の実施形態の図１０において、コードＮｏ．６の第１チェックサムを算出する基になる第１範囲は、コードＮｏ．２６の第２チェックサムを算出する基になる第２範囲の中に含まれているが、コードＮｏ．１の機種情報を示す記号がその第１範囲と第２範囲との両方に入っており両範囲が互いに異なっていれば、第１範囲の一部分と第２範囲の一部分とが互いに重複するだけであっても差しつかえない。
【０１３３】
（４）上述の実施形態において、図４のフローチャートでは、設定コードＣＤｍは、台所リモコン９０の表示パネル９０１に表示され、台所リモコン９０の操作部９０２に対する操作によって入力されるが、給湯制御部３８に表示装置と操作装置とが設けられており、台所リモコン９０が用いられずに、その給湯制御部３８の表示装置に設定コードＣＤｍが表示され、給湯制御部３８の操作装置に対する操作によって設定コードＣＤｍが入力されても差し支えない。そのようにしたとすれば、給湯制御部３８と台所リモコン９０との間の通信に不具合が生じていても、設定コードＣＤｍの表示および入力を行うことが可能である。
【０１３４】
（５）上述の実施形態において、台所リモコン９０は、給湯装置１０を動作させるための操作装置であるが、他の機能を備えていても構わない。例えば、台所リモコン９０は、家庭の電力等のエネルギマネジメント機能を備えたＨＥＭＳ（home energy management system）に、給湯装置１０を操作するための給湯装置用リモコンの機能が付加されたものであってもよい。
【０１３５】
（６）上述の実施形態において、給湯装置１０は、電動のヒートポンプユニット１３を熱源とする電気給湯装置であるが、ガスや石油など電気以外を加熱用エネルギ源とする給湯装置であっても差し支えない。
【０１３６】
（７）上述の実施形態において、図１０に設定コードＣＤｍの内訳が示されているが、設定コードＣＤｍは、図１０に示された内容に限られるものではない。
【０１３７】
（８）上述の実施形態において、図１２及び図１３のフローチャートは、Ｓ３０４〜Ｓ３０７およびＳ４０７〜Ｓ４１２を備えているが、それらのステップは必須というわけではない。また、Ｓ３０８〜Ｓ３１３およびＳ４１３〜Ｓ４１５も必須というわけではない。
【０１３８】
（９）上述の実施形態において、台所リモコン９０の表示パネル９０１と操作部９０２とは別個の装置で構成されているが、別個の装置である必要はない。例えば、表示パネル９０１と操作部９０２とが１つのタッチパネルディスプレイによって構成されていても差し支えない。
【０１３９】
（１０）上述の実施形態では、整合フラグＦＬＧｃｎは、給湯制御部３８の制御基板９４を交換する際に入力されるが、制御基板９４の交換以外の際、例えば給湯装置１０を生産する工場から出荷する際に入力されることも考えられる。
【０１４０】
（１１）上述の実施形態では、設定コードＣＤｍの第１チェックサムを算出するための第１計算式はコードＮｏ．１からＮｏ．５までの各５ｂｉｔデータを足し合わせるものであり、第２チェックサムを算出するための第２計算式は設定コードＣＤｍのコードＮｏ．１からＮｏ．２５までの各５ｂｉｔデータを足し合わせるものであるが、第１計算式も第２計算式もそのような内容の計算式に限定されるものではない。
【０１４１】
（１２）上述の実施形態では、記憶部９４１を有する制御基板９４は、給湯制御部３８から着脱可能に構成されているが、着脱可能には構成されておらず、例えば制御基板９４の交換の際に、制御基板９４へハンダ付けされている配線のハンダを溶解し配線を外す等してから、制御基板９４の交換が為されても差し支えない。
【０１４２】
（１３）上述の実施形態において、台所リモコン９０のリモコン制御部９０３と給湯制御部３８とは各々別個の制御装置として構成されているが、例えば給湯制御部３８にリモコン制御部９０３が含まれる等して、リモコン制御部９０３と給湯制御部３８とが一体として１つの制御装置を構成していても差し支えない。そのようにしたとすれば、リモコン制御部９０３と給湯制御部３８とが一体となった制御装置と、表示パネル９０１および操作部９０２を有する台所リモコン９０とが通信可能に接続され、図１１〜図１３に示すフローチャートが全て上記一体となった制御装置にて実行されることが考えられる。
【０１４３】
（１４）上述の実施形態において、給湯制御部３８と熱源制御部４０とリモコン制御部９０３とは各々別個の制御装置として構成されているが、それらの制御部３８、４０、９０３のうちの２つ又は全部が一体として１つの制御部を構成していても差し支えない。
【０１４４】
（１５）上述の実施形態において、図１１〜図１３のフローチャートに示す各ステップの処理はコンピュータプログラムによって実現されるものであるが、ハードロジックで構成されるものであっても差し支えない。
【０１４５】
なお、本発明は上記した実施形態に限定されるものではなく、特許請求の範囲に記載した範囲内において適宜変更が可能である。また、上記実施形態において、実施形態を構成する要素は、特に必須であると明示した場合および原理的に明らかに必須であると考えられる場合等を除き、必ずしも必須のものではないことは言うまでもない。また、上記実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【符号の説明】
【０１４６】
１０        給湯装置
２０        貯湯タンクユニット（給湯ユニット）
３８        給湯制御部
９０        台所リモコン（リモコン装置）
９０１      表示パネル（表示部）
９０２      操作部
９４１      記憶部
ＣＤｍ      設定コード
【図１】
2015094557.tif 000003
【図２】
2015094557.tif 000004
【図３】
2015094557.tif 000005
【図４】
2015094557.tif 000006
【図５】
2015094557.tif 000007
【図６】
2015094557.tif 000008
【図７】
2015094557.tif 000009
【図８】
2015094557.tif 000010
【図９】
2015094557.tif 000011
【図１０】
2015094557.tif 000012
【図１１】
2015094557.tif 000013
【図１２】
2015094557.tif 000014
【図１３】
2015094557.tif 000015
【図１４】
2015094557.tif 000016